(57)【要約】【課題】商品や展示物などの被取付物に対して簡単に取り付けることができ、被取付物への取付作業性が良好であるとともに、作業効率の向上を図ることができる情報表示用の表示札を提供すること。【解決手段】表示札１は、被取付物５０に巻き付けて、この被取付物５０に関する情報などの表示を行うものであって、被取付物５０に巻き付けられる帯状に形成された帯状部１０と、この帯状部１０の所定の領域に形成された表示部２０と、帯状部１０の一方の端部に形成された貼着部３０と、帯状部１０の他方の端部に形成され、貼着部３０が貼着される被貼着部４０とを備える。被貼着部４０は、貼着部３０よりも幅広に構成されている。このため、貼着部３０の被貼着部４０への貼着時にずれが生じても、粘着層３１がはみ出したりすることがなく、良好かつ簡単に表示札１を被取付物５０に取り付けることができる。【選択図】図１
2010008721.tif 000002
【特許請求の範囲】
【請求項１】
被取付物に巻き付けられる帯状部と、
前記帯状部の所定の領域に形成された表示部と、
前記帯状部の一方の端部に形成された貼着部と、
前記帯状部の他方の端部に形成され、前記貼着部が貼着されるとともに前記貼着部よりも幅広に構成された被貼着部とを備えた
ことを特徴とする表示札。
【請求項２】
前記帯状部の前記表示部とは異なる領域に形成されて立体的に組み立てられる表示体をさらに備えたことを特徴とする請求項１記載の表示札。
【請求項３】
前記表示体は、立体的に組み立てられる際に前記帯状部の一部に取り付けられる取付端部と、前記帯状部から一部を残して切り離されるとともにこの一部が前記帯状部と連結した状態で折り曲げられる立体表示部とを有することを特徴とする請求項２記載の表示札。
【請求項４】
前記取付端部は、前記帯状部に対して貼着または嵌め込みによって取り付けられることを特徴とする請求項３記載の表示札。
【請求項５】
前記表示体は、前記取付端部が前記帯状部に対して貼着により取り付けられる場合は、組立前の状態において前記取付端部が前記貼着部の一部からなることを特徴とする請求項４記載の表示札。
【請求項６】
前記帯状部は、前記取付端部が前記帯状部に対して嵌め込みにより取り付けられる場合は、一部に前記取付端部が嵌め込まれるスリット状の被嵌め込み部を有することを特徴とする請求項４記載の表示札。
【請求項７】
前記帯状部、前記表示部、前記貼着部、前記被貼着部および前記表示体は、１枚のフィルム体からなることを特徴とする請求項２〜６のいずれか１項記載の表示札。
【請求項８】
前記貼着部は、粘着層が重畳された構造からなることを特徴とする請求項１〜７のいずれか１項記載の表示札。
【請求項９】
前記表示部および前記立体表示部は、視認可能な情報が印刷された印刷層を有することを特徴とする請求項３〜８のいずれか１項記載の表示札。
【発明の詳細な説明】
【技術分野】
【０００１】
本発明は、商品や展示物などの被取付物に巻き付けられて簡単に取付可能な情報表示用の表示札に関し、特に糊が直接的に被取付物に触れない構造を有した結束用ラベルとして好適な表示札に関する。
【背景技術】
【０００２】
商品や展示物などに簡単に取り付けることができる情報表示用の表示札としては、例えば下記特許文献１に開示されている表示札が知られている。この表示札は、展示物に巻き付けられる帯状部材を有し、この帯状部材が自身の面内の定められた領域に情報を表示する表示部を有し、両端部にこの表示部を間にした貼着部を備え、これら貼着部を展示物の裏面に貼着するとされている。
【０００３】
また、例えば野菜など、貼着部を展示物に貼着できない場合には、図９に示すように、展示物等に巻き付けられる帯状部材１０１と、情報１０２を表示する表示部１０３と、帯状部材１０１の両端部に貼着部１０４とを有する表示札１００なども知られている。この表示札１００では、展示物等に帯状部材１０１を巻き付けた後に貼着部１０４同士を貼り合わせることによって組み立てられるとされている。なお、この表示札１００は、貼着部１０４の一方（図９の向かって左側）にのみ粘着層が形成された構造を有している。
【０００４】
【特許文献１】特開２００６−４７５２２号公報
【発明の開示】
【発明が解決しようとする課題】
【０００５】
しかしながら、上述した特許文献１に開示されている従来の表示札では、貼着部が展示物等の裏面に対してずれた状態で貼着された場合などには、帯状部材が弛んで見栄えなどが悪くなり、良好に表示部の情報を表示できなくなったりする不具合が生じる可能性は否めない。
【０００６】
また、上述した表示札１００では、貼着部１０４同士を貼り合わせる際に、同様にずれた状態で貼り合わされたときなどに、帯状部分が弛んで見栄えなどが悪くなるのみならず、粘着層が展示物等付着して、衛生上も好ましくないという問題があった。
【０００７】
そして、このような不具合を無くすためには正確に貼着部１０４同士を貼り合わせる必要があり、表示札１００の展示物等への取付作業には相当な正確性が要求されるため、作業効率が悪く作業性は決して良好であるとは言えなかった。
【０００８】
本発明は、このような問題点に鑑みてなされたもので、商品や展示物などの被取付物に対して簡単に取り付けることができ、被取付物への取付作業性が良好であるとともに、作業効率の向上を図ることができる情報表示用の表示札を提供することを目的とする。
【課題を解決するための手段】
【０００９】
本発明に係る表示札は、被取付物に巻き付けられる帯状部と、前記帯状部の所定の領域に形成された表示部と、前記帯状部の一方の端部に形成された貼着部と、前記帯状部の他方の端部に形成され、前記貼着部が貼着されるとともに前記貼着部よりも幅広に構成された被貼着部とを備えたことを特徴とする。
【００１０】
本発明に係る表示札は、上記のように構成したことにより、貼着部の被貼着部への貼着作業の際に、貼り合わせにずれが生じた場合などでも被貼着部が幅広に構成されているため確実に貼着することができ、被取付物に対して簡単に取り付けることができて被取付物への取付作業性が良好であるとともに、作業効率の向上を図ることができる。
【００１１】
なお、例えば前記帯状部の前記表示部とは異なる領域に形成されて立体的に組み立てられる表示体をさらに備えてもよい。
【００１２】
また、前記表示体は、例えば立体的に組み立てられる際に前記帯状部の一部に取り付けられる取付端部と、前記帯状部から一部を残して切り離されるとともにこの一部が前記帯状部と連結した状態で折り曲げられる立体表示部とを有する。
【００１３】
前記取付端部は、例えば前記帯状部に対して貼着または嵌め込みによって取り付けられる。
【００１４】
前記表示体は、例えば前記取付端部が前記帯状部に対して貼着により取り付けられる場合は、組立前の状態において前記取付端部が前記貼着部の一部からなる。
【００１５】
前記帯状部は、例えば前記取付端部が前記帯状部に対して嵌め込みにより取り付けられる場合は、一部に前記取付端部が嵌め込まれるスリット状の被嵌め込み部を有する。
【００１６】
なお、例えば前記帯状部、前記表示部、前記貼着部、前記被貼着部および前記表示体は、１枚のフィルム体からなる。
【００１７】
そして、前記貼着部は、例えば粘着層が重畳された構造からなる。
【００１８】
また、前記表示部および前記立体表示部は、例えば視認可能な情報が印刷された印刷層を有する。
【発明の効果】
【００１９】
以上のように本発明によれば、商品や展示物などの被取付物に対して簡単に取り付けることができ、被取付物への取付作業性が良好であるとともに、作業効率の向上を図ることができる情報表示用の表示札を提供することができる。
【発明を実施するための最良の形態】
【００２０】
以下に、添付の図面を参照して、本発明に係る表示札の好適な実施の形態について詳細に説明する。
【００２１】
図１は、本発明の一実施形態に係る表示札の展開時構成の例を示す展開図、図２は同表示札の組立時の全体構成の例を示す斜視図、図３は同表示札の被取付物への取付状態を示す説明図である。図１〜図３に示すように、表示札１は、展示物や展示ケース、あるいは種々の商品などの被取付物５０（図３参照）に巻き付けて、この被取付物５０に関する情報などの表示を行うものであって、例えば以下のような構成からなる。
【００２２】
すなわち、表示札１は、被取付物５０に巻き付けられる帯状に形成された帯状部１０と、この帯状部１０の所定の領域（図１においては、中間部近傍）に形成された表示部２０と、帯状部１０の一方の端部に形成された貼着部３０と、帯状部１０の他方の端部に形成され、貼着部３０が貼着される被貼着部４０とを備える。
【００２３】
なお、この被貼着部４０は、貼着部３０よりも幅広に構成されている。すなわち、表示札１は、貼着部３０の幅Ｌ１よりも被貼着部４０の幅Ｌ２の方が大きくなる（図１参照）ように形成されている。
【００２４】
また、表示札１は、本実施形態においては、帯状部１０の表示部２０とは異なる領域（図１においては、貼着部３０側端部近傍の上方）に形成されて、表示札１が組み立てられた状態のときに立体的に組み立てられる表示体１１をさらに備える。この表示体１１は、立体的に組み立てられる際に帯状部１０の一部に取り付けられる取付端部１２と、帯状部１０から折り曲げ線１３に沿う一部を残して切り取り線１４に沿って切り離されるとともに、この折り曲げ線１３に沿う一部が帯状部１０と連結した状態で折り曲げられる立体表示部１５とを有する。
【００２５】
なお、表示体１１の取付端部１２は、帯状部１０に対して貼着や嵌め込みによって取り付けられる構造を備えており、ここでは帯状部１０に対して貼着されるように構成されている。この場合、表示体１１の取付端部１２は、表示札１の組立前の状態において取付端部１２が貼着部３０の一部からなるように（すなわち、貼着部３０と共通するように）形成されている。
【００２６】
このように構成された表示札１は、図１に示すような展開状態においては、矩形状の同一（１枚）のフィルム体からなる。このフィルム体としては、一般に合成樹脂などの高分子成分などを薄い膜状に成型したものを指すが、本実施形態に係る表示札１は、その他紙材などの合成樹脂とは異なる材料により形成することも可能である。そして、貼着部３０は、この貼着部３０に相当する部分の片面側に重畳された粘着層３１を有してなり、この粘着層３１は、少なくとも一種類の粘着剤からなる。
【００２７】
粘着層３１としては、例えば被貼着部４０に対して恒久的に貼着可能な特性や、貼付自在（すなわち、剥離可能）な特性を有する天然ゴム系粘着剤、合成ゴム系粘着剤、ポリビニルエーテル樹脂系粘着剤、シリコン樹脂系粘着剤、アクリル樹脂系粘着剤、ウレタン樹脂系粘着剤、ホットメルト樹脂系粘着剤、溶剤系粘着剤などの、表示札１に粘着層３１を形成し得る一般的に用いられる公知の粘着剤や、これらの組み合わせからなる粘着剤を用いることができる。さらに、例えばこれらの粘着剤に他の素材を組み合わせて（配合して）粘着層３１を形成するようにしてもよい。
【００２８】
また、帯状部１０に形成された表示部２０や表示体１１に形成された立体表示部１５は、被取付物５０の表示情報などを表わす印刷層（例えば、模様や文字などを構成する層）２０ａ，１５ａを有する。図１においては、表示札１の組立時に情報を視認可能に表示できるように、表示部２０の印刷層２０ａは、帯状部１０における貼着部３０の粘着層３１形成側とは反対側の面に形成され、立体表示部１５の印刷層１５ａは、粘着層３１形成側の面に形成されているが、これら印刷層２０ａ，１５ａは、帯状部１０の同一面側に形成されてもよい。
【００２９】
なお、印刷層２０ａ，１５ａは、例えば例えば鉱油性インク、乾性植物油インク、樹脂性インクなど、あるいは紫外線硬化型インクやグラビアインクなどからなり、これら印刷層２０ａ，１５ａを有する表示部２０や立体表示部１５には、それぞれ同じ内容の情報を表示したり、異なる内容の情報を表示したりすることが可能である。
【００３０】
また、表示部２０や立体表示部１５には、印刷層２０ａ，１５ａによって文字や模様などの情報を表示する他に、着色や金属蒸着により情報を表示したり、文字や模様などが形成された貼付物が貼り付けられたりして、被取付物５０に関する情報が表示されるように構成されていてもよい。
【００３１】
このように構成された表示札１によれば、図２および図３に示すように、組立時には被取付物５０に帯状部１０を巻き付けて貼着部３０を被貼着部４０に粘着層３１を介して貼り付け、表示体１１を折り曲げ線１３にて折り曲げた上で取付端部１２を帯状部１０の一部に粘着層３１を介して貼り付ける。
【００３２】
このような簡単な作業によって、帯状部１０が被取付物５０に対して環状に形成されるとともに、表示体１１が帯状部１０から斜め方向に環状に突出した立体的な状態となり、表示部２０や立体表示部１５によって情報を表示することが可能となる。そして、被貼着部４０が貼着部３０よりも幅広になっているため、貼着部３０を被貼着部４０に貼り付ける際に、貼り合わせにずれが生じてしまったりしても（すなわち、それほどの正確性が無くても）、容易かつ確実に貼着部３０を被貼着部４０に貼着することができ、貼着部３０の粘着層３１がはみ出したりすることを回避可能である。したがって、本実施形態に係る表示札１は、被取付物５０に対して簡単に取り付けることができ取付作業性が良好であるとともに、作業効率の向上を図ることができる。
【００３３】
また、帯状部１０の一部に表示体１１が形成されるとともに、貼着部３０の一部がこの表示体１１の取付端部１２となっているため、無駄な材料が不要で安価に製造可能かつ環境面においても良好であるとともに、組立作業が簡単でありつつも表示体１１が立体表示部１５を有するため、多方向から被取付物５０の情報を視認可能にさせることができる。これにより、被取付物５０の情報の表示効果や広告宣伝効果を高めることが期待できる。
【００３４】
図４は、本発明の一実施形態に係る表示札の展開時構成の他の例を示す展開図、図５は同表示札の被取付物への取付状態を示す説明図である。なお、以降において、既に説明した部分と重複する箇所には同一の符号を付して説明を省略することがあるとし、本発明に特に関連のない部分については明記しない場合があることとする。
【００３５】
図４および図５に示すように、この表示札１Ａは、上述した表示札１に対して表示体１１の取付端部１２ａの形状や構成、および帯状部１０の一部の構成が相違している。すなわち、表示札１Ａの表示体１１における取付端部１２ａは、立体表示部１５の本体幅に対して多少幅広になるような形状で形成され、貼着部３０の一部とはなっておらず粘着層３１も有しない構成となっている。
【００３６】
また、帯状部１０の取付端部１２ａが取り付けられる部分にはスリット１０ａが形成されている。なお、取付端部１２ａの幅はスリット１０ａのスリット幅よりも多少大きくなるように形成されている。このように構成されることにより、表示札１Ａでは、組立時に表示体１１の取付端部１２ａを帯状部１０のスリット１０ａに嵌め込むことで立体表示部１５を立体的に構成することができる。
【００３７】
さらに、取付端部１２ａが多少幅広に形成されているため、表示体１１に対して多少の外力が加わったとしてもスリット１０ａから外れてしまうことがなく、粘着層３１を備えないためさらに材料費を抑えるなどの効果を有するとともに、被取付物５０に対して簡単に取り付けることができ取付作業性が良好であり、作業効率の向上を図ることができる。その他の作用や効果については上記表示札１と同様であるため、ここでは説明を省略する。
【００３８】
図６は、本発明の一実施形態に係る他の表示札の展開時構成の例を示す展開図、図７は同表示札の組立時の全体構成の例を示す斜視図、図８は同表示札の被取付物への取付状態を示す説明図である。図６〜図８に示すように、この表示札１Ｂは基本的には上記表示札１と同様の構成を備えているが、表示体１１の形成箇所や貼着部３０の幅などが表示札１と相違している。
【００３９】
すなわち、表示札１Ｂにおいては、表示体１１は図６においては、貼着部３０側端部近傍の帯状部１０における幅方向中央付近に形成され、貼着部３０の一部と帯状部１０の一部を折り曲げ線１３を残して切り抜くような形状を有している。これにより、表示札１と同様に帯状部１０が被取付物５０ａに対して環状に形成されるとともに、表示体１１が帯状部１０から平行方向に同様な環状として突出した立体的な状態となり、表示部２０や立体表示部１５によって情報を表示することが可能となる。
【００４０】
そして、被貼着部４０が貼着部３０よりもさらに幅広になっているため、貼着部３０を被貼着部４０に貼り付ける際に、貼り合わせに正確性がなくずれが生じてしまっても、容易かつ確実に貼着部３０を被貼着部４０に貼着することができ、貼着部３０の粘着層３１がはみ出したりすることを回避することができる。よって、表示札１Ｂも、被取付物５０ａに対して簡単に取り付けることができて取付作業性が良好であり、作業効率の向上を図ることができる。
【００４１】
また、帯状部１０の一部に表示体１１が形成されるとともに、貼着部３０の一部がこの表示体１１の取付端部１２となっており、貼着部３０の幅がさらに狭くなっているため、粘着層３１を構成する粘着剤の量を少なくしたりすることが可能で、さらに無駄な材料が不要となり安価に製造可能かつ環境面においても良好な構成とすることができる。また、組立作業が簡単でありつつも表示体１１が立体表示部１５を有するため、多方向から被取付物５０ａの情報を視認可能にさせることができ、被取付物５０ａの情報の表示効果や広告宣伝効果を高めることが期待できる。
【００４２】
以上述べたように、上述した実施形態に係る表示札１，１Ａ，１Ｂによれば、商品や展示物などの被取付物５０，５０ａに対して簡単に取り付けることができ、被取付物５０，５０ａへの取付作業性が良好であるとともに、作業効率の向上を図ることができ、安価に製造可能で表示効果や宣伝広告効果を高めることが期待できる。
また、以上の各実施形態に係る表示札は、特にアスパラ、ほうれん草等の野菜や、生鮮食品あるいは加工食品等の食品の結束用ラベルとして好適である。
【図面の簡単な説明】
【００４３】
【図１】本発明の一実施形態に係る表示札の展開時構成の例を示す展開図である。
【図２】同表示札の組立時の全体構成の例を示す斜視図である。
【図３】同表示札の被取付物への取付状態を示す説明図である。
【図４】本発明の一実施形態に係る表示札の展開時構成の他の例を示す展開図である。
【図５】同表示札の被取付物への取付状態を示す説明図である。
【図６】本発明の一実施形態に係る他の表示札の展開時構成の例を示す展開図である。
【図７】同表示札の組立時の全体構成の例を示す斜視図である。
【図８】同表示札の被取付物への取付状態を示す説明図である。
【図９】従来の表示札を説明するための説明図である。
【符号の説明】
【００４４】
１，１Ａ，１Ｂ  表示札
１０            帯状部
１１            表示体
１２，１２ａ    取付端部
１３            折り曲げ線
１４            切り取り線
１５            立体表示部
１５ａ，２０ａ  印刷層
２０            表示部
３０            貼着部
３１            粘着層
４０            被貼着部
５０            被取付物
【図１】
2010008721.tif 000003
【図２】
2010008721.tif 000004
【図３】
2010008721.tif 000005
【図４】
2010008721.tif 000006
【図５】
2010008721.tif 000007
【図６】
2010008721.tif 000008
【図７】
2010008721.tif 000009
【図８】
2010008721.tif 000010
【図９】
2010008721.tif 000011